(57)【要約】【課題】ポンプモジュールを燃料タンクの内部へ取り付ける際の作業性を向上する。【解決手段】ポンプモジュール１０は、燃料タンク１２の内部１３の燃料を送出するポンプ本体１６と、ポンプ本体１６に設けられ燃料タンク１２の開口部から内部１３に挿入可能な大きさに折りたたみ可能とされたフィルタ２２と、フィルタ２２に設けられた係合部２４と、を備えている。ポンプ本体１６には、係合部２４と係合されたときにフィルタ２２を折りたたみ状態にて保持し、係合部２４との係合の解除とともにフィルタ２２の折りたたみ状態の保持を解除する保持部２６が設けられている。【選択図】図１
2017053326.tif 000002
【特許請求の範囲】
【請求項１】
燃料タンクの内部の燃料を送出するポンプ本体と、
前記ポンプ本体に設けられ、前記燃料タンクの開口部から内部に挿入可能な大きさに折りたたみ可能とされたフィルタと、
前記フィルタに設けられた係合部と、
前記係合部と係合されたときに前記フィルタを折りたたみ状態にて保持し、前記係合部との係合の解除とともに前記フィルタの折りたたみ状態の保持を解除する保持部材と、
を有するポンプモジュール。
【発明の詳細な説明】
【技術分野】
【０００１】
本発明は、ポンプモジュールに関する。
【背景技術】
【０００２】
下記特許文献１には、ポンプ本体と、折りたたみ可能なフィルタとを備え、燃料タンクの内部に取り付けられるポンプモジュールの構造が開示されている。この構造では、ポンプモジュールを燃料タンクの内部に取り付ける際には、フィルタの枠体に外力を加えることで、枠体の可撓部を弾性変形させてフィルタを折りたたみ、燃料タンクの開口部を通して燃料タンクの内部へ挿入している。なお、曲げ変形可能なフィルタを備えるポンプモジュールとして、特許文献２、３に記載されたものがある。
【先行技術文献】
【特許文献】
【０００３】
【特許文献１】特開２００９−２０９８４１号公報
【特許文献２】特開２００４−２３９２４３号公報
【特許文献３】特開２０１４−２４０６１９号公報
【発明の概要】
【発明が解決しようとする課題】
【０００４】
上記特許文献１では、ポンプモジュールを燃料タンクの内部へ取り付ける際に、フィルタの枠体に外力を加え続ける必要があるので、作業性が低下する。
【０００５】
本発明は上記事実を考慮し、ポンプモジュールを燃料タンクの内部へ取り付ける際の作業性を向上することができるポンプモジュールを得ることが目的である。
【課題を解決するための手段】
【０００６】
請求項１に記載の発明に係るポンプモジュールは、燃料タンクの内部の燃料を送出するポンプ本体と、前記ポンプ本体に設けられ、前記燃料タンクの開口部から内部に挿入可能な大きさに折りたたみ可能とされたフィルタと、前記フィルタに設けられた係合部と、
前記係合部と係合されたときに前記フィルタを折りたたみ状態にて保持し、前記係合部との係合の解除とともに前記フィルタの折りたたみ状態の保持を解除する保持部材と、を有する。
【０００７】
請求項１に記載の発明によれば、ポンプ本体には、燃料タンクの開口部から内部に挿入可能な大きさに折りたたみ可能とされたフィルタが設けられている。フィルタには、係合部が設けられており、保持部材が係合部と係合されたときにフィルタを折りたたみ状態にて保持している。フィルタが折りたたみ状態にて保持された状態で、ポンプモジュールが燃料タンクの開口部から内部に挿入される。そして、ポンプモジュールが燃料タンクの内部に取り付けられる。燃料タンクの内部では、保持部材による係合部との係合の解除とともにフィルタの折りたたみ状態の保持が解除される。この構成では、フィルタを折りたたみ状態にて保持する保持部材を備えることによって、燃料タンクの内部にポンプモジュールを取り付ける際に、フィルタに外力を加え続ける必要がなくなるので、作業性を向上することができる。
【発明の効果】
【０００８】
本発明によれば、ポンプモジュールを燃料タンクの内部へ取り付ける際の作業性を向上することができる。
【図面の簡単な説明】
【０００９】
【図１】本発明の第１実施形態のポンプモジュールを示す斜視図である。
【図２】図１に示すポンプモジュールを燃料タンクの内部に取り付けた状態を示す斜視図である。
【図３】（Ａ）は、図１に示すポンプモジュールを燃料タンクの開口部から内部に挿入する過程を示す断面図であり、（Ｂ）は、図１に示すポンプモジュールを燃料タンクの内部に取り付けた状態を示す断面図である。
【図４】本発明の第２実施形態のポンプモジュールを燃料タンクの内部に取り付ける過程を示す斜視図である。
【図５】本発明の第３実施形態のポンプモジュールを燃料タンクの内部に取り付ける過程を示す斜視図である。
【図６】本発明の第４実施形態のポンプモジュールを燃料タンクの内部に取り付ける過程を示す斜視図である。
【図７】（Ａ）は、第１比較例のポンプモジュールを燃料タンクの開口部から内部に挿入する過程を示す断面図であり、（Ｂ）は、第１比較例のポンプモジュールを燃料タンクの内部に取り付けた状態を示す断面図である。
【図８】（Ａ）は、第２比較例のポンプモジュールを燃料タンクの開口部から内部に挿入する過程を示す断面図であり、（Ｂ）は、第２比較例のポンプモジュールを燃料タンクの内部に取り付けた状態を示す断面図である。
【発明を実施するための形態】
【００１０】
〔第１実施形態〕
以下、図１〜図３を用いて、本発明に係るポンプモジュールの第１実施形態について説明する。なお、これらの図において適宜示される矢印ＵＰは車両上方側を示している。
【００１１】
図１には、本実施形態のポンプモジュール１０が斜視図にて示されており、ポンプモジュール１０が燃料タンク１２の内部１３に取り付けられる前の状態が示されている。図２には、本実施形態のポンプモジュール１０が、燃料タンク１２の内部１３に取り付けられた状態が斜視図にて示されている。このポンプモジュール１０は、自動車に設けられた燃料タンク１２の内部１３に取り付けられ（図２参照）、燃料をエンジン（図示省略）に供給するために使用されるものである。
【００１２】
図１及び図２に示されるように、ポンプモジュール１０は、燃料タンク１２の内部１３の燃料を吸引して外部に送出するポンプ本体１６と、ポンプ本体１６に設けられるフィルタユニット１８と、を備えている。本実施形態では、ポンプモジュール１０は、燃料タンク１２の内部１３に設けられたサブタンク（図示省略）内の底部１４に取り付けられる構成とされている。
【００１３】
ポンプ本体１６は、略円柱状の外形を備えており、円形状の上面部１６Ａと、上面部１６Ａの周縁部から下方側に延びた側部１６Ｂと、側部１６Ｂの下端部に設けられた下面部１６Ｃ（図３参照）と、を備えている。ポンプ本体１６の上面部１６Ａには、燃料供給配管２０が接続されている。
【００１４】
フィルタユニット１８は、ポンプ本体１６の側部１６Ｂ側に折りたたみ可能とされたフィルタ２２と、フィルタ２２の長手方向の両側に設けられた一対の係合部２４と、を備えている。さらに、フィルタユニット１８は、ポンプ本体１６の側部１６Ｂに、係合部２４が係合される保持部材としての保持部２６を備えている。
【００１５】
フィルタ２２は、その外側から内側へ燃料を通過させるが、燃料中の異物を除去する（異物を通過させない）材料で形成されており、例えば、不織布、多孔質性樹脂などで形成されている。フィルタ２２は、ポンプモジュール１０の平面視にて略矩形状（本実施形態では細長い長方形状）の袋体とされており、正面視にて上下方向の高さが低い扁平状とされている（図２参照）。なお、フィルタ２２の内部にフィルタ２２の支える弾性変形可能な支持部を設ける構成としてもよい。
【００１６】
フィルタ２２は、長手方向の中央部２２Ａがポンプ本体１６の下面部１６Ｃ（図３参照）に取り付けられている。ポンプ本体１６の下面部１６Ｃには、燃料を吸引可能な燃料吸引口（図示省略）が設けられている。ポンプモジュール１０が、燃料タンク１２の内部１３に取り付けられた状態で（図２参照）、ポンプ本体１６を駆動することで、燃料タンク１２内（本実施形態ではサブカップ内）の燃料が燃料吸引口から吸引される。そして、燃料が燃料供給配管２０を通じて、エンジン（図示省略）に向けて供給されるようになっている。その際、燃料タンク１２内（本実施形態ではサブカップ内）の燃料がフィルタ２２を通過することで、燃料に含まれる異物がフィルタ２２で除去される。
【００１７】
図１に示されるように、フィルタ２２は、長手方向両側に設けられた折りたたみ部２２Ｂがポンプ本体１６の側部１６Ｂ側に折りたたみ可能とされている。フィルタ２２の折りたたみ部２２Ｂは、燃料タンク１２の後述する開口部３２（図３参照）から燃料タンク１２の内部１３に挿入可能な大きさに折りたたみ可能とされている。フィルタ２２の長手方向両側の折りたたみ部２２Ｂには、フィルタ２２の幅方向（長手方向と直交する幅方向）の一端部に一対の係合部２４が設けられている。一対の係合部２４は、フィルタ２２の折りたたみ部２２Ｂがポンプ本体１６の側部１６Ｂ側に折りたたまれた状態で、互いに対向する位置に設けられている。一対の係合部２４は、左右両側の折りたたみ部２２Ｂの対向面に対して略直交する方向に延びている。一対の係合部２４は、ポンプモジュール１０の正面視にて、左右対称とされた略Ｌ字状に形成されている。係合部２４の先端部には、下方側に延びた係合突起２４Ａが形成されている。
【００１８】
フィルタ２２の長手方向両側の折りたたみ部２２Ｂには、フィルタ２２の幅方向（長手方向と直交する幅方向）の他端部にも一対の係合部２４が設けられている（図２参照）。フィルタ２２の幅方向の他端部の一対の係合部２４は、フィルタ２２の幅方向の一端部の一対の係合部２４と同じ形状とされている。
【００１９】
保持部２６は、ポンプモジュール１０の平面視にて略Ｕ字状に形成されており、上下方向に貫通する孔部２６Ａが形成されている。一対の係合部２４の係合突起２４Ａが保持部２６の孔部２６Ａに挿入されることで、一対の係合部２４の係合突起２４Ａが保持部２６に係合されている。
【００２０】
図示を省略するが、保持部２６は、ポンプ本体１６の両側（ポンプ本体１６の周方向の約１８０°の位置）に設けられている。本実施形態では、２つの保持部２６は、ポンプ本体１６の側部１６Ｂに巻き付けられたバンド２８（図２参照）によってポンプ本体１６に固定されている。
【００２１】
図１に示されるように、ポンプモジュール１０では、フィルタ２２の幅方向の一端部（図１中のポンプ本体１６の手前側）の一対の係合部２４が、ポンプ本体１６の一方の保持部２６に係合されている。さらに、フィルタ２２の幅方向の他端部（図１中のポンプ本体１６の奥側）の一対の係合部２４が、ポンプ本体１６の他方の保持部２６（図示省略）に係合されている。これにより、フィルタ２２の長手方向両側の折りたたみ部２２Ｂがポンプ本体１６の側部１６Ｂ側に折りたたまれた状態で保持される。また、後述するブラケット３０により、一対の係合部２４の係合突起２４Ａが保持部２６の孔部２６Ａから抜き出されたとき（係合突起２４Ａと保持部２６との係合が解除されたとき）は、フィルタ２２の折りたたみ部２２Ｂの折りたたみ状態の保持が解除される。これにより、フィルタ２２の折りたたみ部２２Ｂが燃料タンク１２の底部１４側に広がる（展開される）ようになっている（図２参照）。
【００２２】
燃料タンク１２の内部１３（本実施形態ではサブタンク内）の底部１４には、ポンプモジュール１０を取り付けるための一対のブラケット３０が設けられている。一対のブラケット３０は、ポンプモジュール１０の側面視にて、左右対称とされた略Ｌ字状に形成されている。より具体的には、ブラケット３０は、燃料タンク１２の内部１３（本実施形態ではサブタンク内）の底部１４に取り付けられる取付部３０Ａと、取付部３０Ａの縁部から上方側に延びた延設部３０Ｂと、を備えている。延設部３０Ｂの長手方向の先端部には、延設部３０Ｂの面から突出する爪部３０Ｃが設けられている。取付部３０Ａは、リベット等の取付具によって底部１４に固定されている。
【００２３】
爪部３０Ｃは、延設部３０Ｂの面から略直交する方向に配置された段差部を備えており、段差部よりもブラケット３０の先端側は、ブラケット３０の先端側に向かって厚みが徐々に薄くなる傾斜部３０Ｄとされている。一対のブラケット３０の延設部３０Ｂは、ポンプ本体１６の両側の保持部２６の位置に合わせて配置されており、一対のブラケット３０が傾斜部３０Ｄ側から保持部２６の孔部２６Ａに挿入される。ブラケット３０が傾斜部３０Ｄを備えることで、ブラケット３０の傾斜部３０Ｄ側を保持部２６の孔部２６Ａに挿入しやすい構成とされている。
【００２４】
ポンプモジュール１０を一対のブラケット３０に取り付ける際には、一対のブラケット３０が傾斜部３０Ｄ側から保持部２６の孔部２６Ａに挿入される。そして、ブラケット３０の傾斜部３０Ｄの先端に押されて、係合部２４の係合突起２４Ａが保持部２６の孔部２６Ａから抜き出されることで、係合突起２４Ａと保持部２６との係合が解除される。さらに、ブラケット３０の爪部３０Ｃが保持部２６における孔部２６Ａの上側の縁部に係止され、ポンプモジュール１０が一対のブラケット３０に取り付けられるようになっている（図２参照）。
【００２５】
図３（Ａ）、（Ｂ）に示されるように、燃料タンク１２は、断面視にて略矩形状に形成されており、角部がＲ状に湾曲されている。燃料タンク１２の上面部１２Ａには、ポンプモジュール１０が挿入される開口部３２が設けられている。開口部３２は、燃料タンク１２の平面視にて略円形状に形成されている。開口部３２の直径は、フィルタ２２の折りたたみ部２２Ｂがポンプ本体１６の側部１６Ｂ側に折りたたまれた状態で、ポンプモジュール１０の横方向の外形よりも大きく設定されている（図３（Ａ）参照）。また、開口部３２の直径は、フィルタ２２の折りたたみ部２２Ｂの折りたたみ状態が解除されてフィルタ２２が横方向に広がった状態で、フィルタ２２の長手方向の長さよりも小さく設定されている（図３（Ｂ）参照）。これにより、フィルタ２２の折りたたみ部２２Ｂがポンプ本体１６の側部１６Ｂ側に折りたたまれた状態で、ポンプモジュール１０が燃料タンク１２の開口部３２から内部１３に挿入可能となる。
【００２６】
ポンプモジュール１０には、燃料タンク１２の上面部１２Ａの開口部３２を閉塞する蓋体３６が設けられている。図示を省略するが、燃料供給配管２０は、蓋体３６を貫通するように取り付けられている。
【００２７】
次に、本実施形態のポンプモジュール１０の作用及び効果について説明する。
【００２８】
図１に示されるように、ポンプモジュール１０では、フィルタ２２の長手方向両側の折りたたみ部２２Ｂに設けられた一対の係合部２４が、ポンプ本体１６に取り付けられた保持部２６に係合されている。本実施形態では、フィルタ２２の幅方向両側の一対の係合部２４が、ポンプ本体１６の両側の保持部２６にそれぞれ係合されている。これにより、フィルタ２２の長手方向両側の折りたたみ部２２Ｂがポンプ本体１６の側部１６Ｂ側に折りたたまれた状態で保持されている。フィルタ２２の折りたたみ部２２Ｂは、燃料タンク１２の開口部３２から内部１３に挿入可能な大きさに折りたたみ可能とされている。
【００２９】
図３（Ａ）に示されるように、フィルタ２２の折りたたみ部２２Ｂがポンプ本体１６の側部１６Ｂ側に折りたたまれた状態で、ポンプモジュール１０が燃料タンク１２の開口部３２から内部１３に挿入される。そして、図３（Ｂ）に示されるように、ポンプモジュール１０を燃料タンク１２の底部１４に設けられた一対のブラケット３０に取り付ける。
【００３０】
図２に示されるように、ポンプモジュール１０を一対のブラケット３０に取り付ける際には、一対のブラケット３０を傾斜部３０Ｄの先端側から保持部２６の孔部２６Ａに挿入する。その際、ブラケット３０の傾斜部３０Ｄの先端に押されて、係合部２４の係合突起２４Ａが保持部２６の孔部２６Ａから抜き出されることで、係合突起２４Ａと保持部２６との係合が解除される。これにより、フィルタ２２の折りたたみ部２２Ｂの折りたたみ状態が解除され、矢印Ａに示すように、折りたたみ部２２Ｂが燃料タンク１２の底部１４側に広がる（展開される）。
【００３１】
さらに、一対のブラケット３０を保持部２６の孔部２６Ａに挿入すると、ブラケット３０の爪部３０Ｃが保持部２６における孔部２６Ａの上側の縁部に係止される。これによって、ポンプモジュール１０が燃料タンク１２の内部１３の一対のブラケット３０に取り付けられる。
【００３２】
このポンプモジュール１０では、ポンプモジュール１０を一対のブラケット３０に取り付ける過程で、ブラケット３０に押されて係合突起２４Ａと保持部２６との係合が解除される。これにより、フィルタ２２が、燃料タンク１２の底部１４に沿った方向に大きく広がり、フィルタ２２の展開時の長手方向の長さが、燃料タンク１２の開口部３２の直径よりも大きくなる（図３（Ｂ）参照）。これによって、フィルタ２２における燃料の吸い上げ範囲の面積Ｓが拡大され、フィルタ２２の濾過面積が確保される。
【００３３】
このポンプモジュール１０では、フィルタ２２の折りたたみ部２２Ｂに設けられた一対の係合部２４が、ポンプ本体１６に取り付けられた保持部２６に係合されることで、フィルタ２２の折りたたみ部２２Ｂがポンプ本体１６の側部１６Ｂ側に折りたたまれた状態で保持される。この状態で、ポンプモジュール１０が燃料タンク１２の開口部３２から内部１３に挿入される。このため、燃料タンク１２の内部１３にポンプモジュール１０を取り付ける際に、フィルタ２２に外力を加え続ける必要がなくなるので、作業性を向上することができる。
【００３４】
図７（Ａ）、（Ｂ）には、第１比較例のポンプモジュール１００が示されている。図７（Ａ）、（Ｂ）に示されるように、ポンプモジュール１００は、ポンプ本体１６に取り付けられたフィルタ１０２を備えている。フィルタ１０２は、ポンプ本体１６への取付前の状態で細長い略矩形状とされると共に高さ方向に薄い扁平状の袋体とされている。フィルタ１０２は、長手方向の中央部１０２Ａがポンプ本体１６の下面部１６Ｃに取り付けられ、フィルタ１０２の長手方向両側の折り曲げ部１０２Ｂがポンプ本体１６の側部１６Ｂ側に折り曲げられた状態で図示しない固定具によって固定されている。フィルタ１０２の折り曲げ部１０２Ｂの横方向の外形は、燃料タンク１２の開口部３２の直径よりも小さい。
【００３５】
図７（Ａ）に示されるように、ポンプモジュール１００では、フィルタ１０２の長手方向両側の折り曲げ部１０２Ｂがポンプ本体１６の側部１６Ｂ側に折り曲げられており、この状態で燃料タンク１２の開口部３２から内部１３に挿入される。そして、図７（Ｂ）に示されるように、ポンプモジュール１００は、フィルタ１０２の長手方向両側の折り曲げ部１０２Ｂがポンプ本体１６の側部１６Ｂ側に折り曲げられた状態で、燃料タンク１２の底部１４に図示しないブラケットにより取り付けられる。図示を省略するが、蓋体３６は、燃料タンク１２の開口部３２を閉塞した状態で燃料タンク１２の開口部３２の周囲に固定される。
【００３６】
このポンプモジュール１００では、フィルタ１０２の長手方向両側の折り曲げ部１０２Ｂがポンプ本体１６の側部１６Ｂ側に折り曲げられている。このため、フィルタ１０２の折り曲げ部１０２Ｂの横方向の外形が小さく、燃料タンク１２の内部１３へのポンプモジュール１００の組付け作業性は良好である。しかし、ポンプモジュール１００は、燃料タンク１２の内部１３に取り付けられた状態で、フィルタ１０２の長手方向両側の折り曲げ部１０２Ｂがポンプ本体１６の側部１６Ｂ側に折り曲げられている。このため、車両の旋回時や傾斜地の走行時などで、底部１４に沿った燃料１０４の吸い上げ範囲の面積Ｓ１が小さくなる。
【００３７】
図８（Ａ）、（Ｂ）には、第２比較例のポンプモジュール１１０が示されている。図８（Ａ）、（Ｂ）に示されるように、ポンプモジュール１１０は、ポンプ本体１１２に取り付けられたフィルタ１１４を備えている。このポンプモジュール１１０では、略円柱状のポンプ本体１１２を横置きする構成されており、ポンプ本体１１２の略平面状の側部１１２Ａに燃料供給配管２０が接続されている。フィルタ１１４は、平面視にて細長い略矩形状とされると共に高さ方向に薄い扁平状の袋体とされている。フィルタ１１４は、長手方向の中央部１１４Ａがポンプ本体１１２の略円柱状の下部１１２Ｂに取り付けられ、フィルタ１１４の長手方向両側の端部１１４Ｂが中央部１１４Ａに沿って横方向に延びている。フィルタ１１４の長手方向の長さは、燃料タンク１２の開口部３２の直径よりも長い。
【００３８】
図８（Ａ）に示されるように、ポンプモジュール１００を燃料タンク１２の内部１３に取り付ける際には、フィルタ１１４の長手方向を水平方向に対して斜めに支持して燃料タンク１２の開口部３２に挿入する。そして、図８（Ｂ）に示されるように、ポンプモジュール１００を燃料タンク１２の内部１３に挿入した後、フィルタ１１４の長手方向を燃料タンク１２の底部１４に沿って配置し、ポンプモジュール１００を燃料タンク１２の底部１４に図示しないブラケットにより取り付ける。
【００３９】
このポンプモジュール１１０は、燃料タンク１２の内部１３に取り付けられた状態で、フィルタ１１４の長手方向が燃料タンク１２の底部１４に沿って配置されている。このため、車両の旋回時や傾斜地の走行時などで、底部１４に沿った燃料１０４の吸い上げ範囲の面積Ｓ２を拡大することができる。しかし、このポンプモジュール１１０では、フィルタ１１４の長手方向の長さが燃料タンク１２の開口部３２の直径よりも長いため、燃料タンク１２の内部１３へのポンプモジュール１１０の組付け作業性が低下する。
【００４０】
これに対して、本実施形態のポンプモジュール１０では、フィルタ２２の折りたたみ部２２Ｂに設けられた一対の係合部２４が、ポンプ本体１６に取り付けられた保持部２６に係合されることで、フィルタ２２の折りたたみ部２２Ｂがポンプ本体１６の側部１６Ｂ側に折りたたまれた状態で保持されている。この状態で、ポンプモジュール１０が燃料タンク１２の開口部３２から内部１３に挿入される。このため、燃料タンク１２の内部１３にポンプモジュール１０を取り付ける際に、フィルタ２２に外力を加え続ける必要がなくなるので、作業性を向上することができる。
【００４１】
さらに、ポンプモジュール１０を一対のブラケット３０に取り付ける過程で、ブラケット３０に押されて係合突起２４Ａと保持部２６との係合が解除される。これにより、フィルタ２２の折りたたみ部２２Ｂが、燃料タンク１２の底部１４に沿った方向に大きく広がり、底部１４に沿った燃料の吸い上げ範囲の面積Ｓを拡大することができる。
【００４２】
〔第２実施形態〕
次に、図４を用いて、本発明に係るポンプモジュールの第２実施形態について説明する。なお、前述した第１実施形態と同一構成部分については、同一番号を付してその説明を省略する。
【００４３】
図４に示されるように、ポンプモジュール４０は、フィルタ２２の長手方向両側の折りたたみ部２２Ｂの端部に係合部４１Ａを備えている。また、ポンプモジュール４０は、フィルタ２２の折りたたみ部２２Ｂがポンプ本体１６の側部１６Ｂ側に折りたたまれた状態で、一対の係合部４１Ａに係合される保持部材４２を備えている。保持部材４２は、ポンプモジュール４０の正面視にて略逆Ｕ字状に形成されている。より具体的には、保持部材４２は、略矩形状の板状部４２Ａと、板状部４２Ａの長手方向両側から下方側に屈曲された屈曲部４２Ｂと、を備えている。さらに、保持部材４２は、板状部４２Ａの長手方向中央部の上面に上方側に突出する摘み部４２Ｃを備えている。一対の係合部４１Ａが保持部材４２の一対の屈曲部４２Ｂに係合されていることで、フィルタ２２の折りたたみ部２２Ｂがポンプ本体１６の側部１６Ｂ側に折りたたまれた状態で保持されている。
【００４４】
ポンプ本体１６の側部１６Ｂの両側には、一対のブラケット３０の爪部３０Ｃが係止される２つの保持部４４が設けられている（ポンプ本体１６の奥側の保持部４４は図示を省略する）。フィルタ２２の折りたたみ部２２Ｂは、燃料タンク１２の開口部（図示省略）から内部１３に挿入可能な大きさに折りたたみ可能とされている。
【００４５】
ポンプモジュール４０を燃料タンク１２の開口部（図示省略）から内部１３に挿入し、ブラケット３０の爪部３０Ｃを保持部４４の孔部４４Ａの上面に係止させる。これによって、ポンプモジュール４０がブラケット３０に取り付けられる。その後、保持部材４２の摘み部４２Ｃを把持して手動により保持部材４２を矢印Ｂ方向に取り外すことで、保持部材４２の屈曲部４２Ｂとフィルタ２２の係合部４１Ａとの係合を解除する。これにより、図４中の２点鎖線で示されるように、フィルタ２２の折りたたみ部２２Ｂが、燃料タンク１２の底部１４に沿った方向に大きく広がる。このため、フィルタ２２の底部１４に沿った燃料の吸い上げ範囲の面積を拡大することができる。したがって、ポンプモジュール４０を燃料タンク１２の内部１３へ取り付ける際の作業性を向上することができる。
【００４６】
〔第３実施形態〕
次に、図５を用いて、本発明に係るポンプモジュールの第３実施形態について説明する。なお、前述した第１及び第２実施形態と同一構成部分については、同一番号を付してその説明を省略する。
【００４７】
図５に示されるように、ポンプモジュール５０は、フィルタ２２の長手方向両側の折りたたみ部２２Ｂに設けられた一対の係合部５２と、ポンプ本体１６に取り付けられて一対の係合部５２が係合される保持部２６と、を備えている。ポンプモジュール４０の正面視にて、係合部５２は、左右対称とされた略Ｔ字状に形成されている。係合部５２の先端部には、下方側に延びた係合突起５２Ａと、上方側に延びた摘み部５２Ｂとが形成されている。一対の係合部５２の係合突起５２Ａが保持部２６に係合されている。また、図示を省略するが、ポンプ本体１６の反対側にも、フィルタ２２の長手方向両側の折りたたみ部２２Ｂに一対の係合部５２が設けられており、一対の係合部５２の係合突起５２Ａが保持部２６に係合されている。これにより、フィルタ２２の長手方向両側の折りたたみ部２２Ｂがポンプ本体１６の側部１６Ｂ側に折りたたまれた状態で保持されている。フィルタ２２の折りたたみ部２２Ｂは、燃料タンク１２の開口部（図示省略）から内部１３に挿入可能な大きさに折りたたみ可能とされている。
【００４８】
このポンプモジュール５０は、燃料タンク１２の開口部（図示省略）から内部１３に挿入され、燃料タンク１２の底部１４に設けられたブラケット（図示省略）により、燃料タンク１２の内部１３に取り付けられる。その後、一対の係合部５２の摘み部５２Ｂを把持して手動により係合突起５２Ａを保持部２６から外すことで、フィルタ２２の係合部５２と保持部２６との係合を解除する。これにより、図５中の２点鎖線で示されるように、フィルタ２２の折りたたみ部２２Ｂが、燃料タンク１２の底部１４に沿った方向に大きく広がる。このため、フィルタ２２の底部１４に沿った燃料の吸い上げ範囲の面積を拡大することができる。したがって、ポンプモジュール５０を燃料タンク１２の内部１３へ取り付ける際の作業性を向上することができる。
【００４９】
〔第４実施形態〕
次に、図６を用いて、本発明に係るポンプモジュールの第４実施形態について説明する。なお、前述した第１〜第３実施形態と同一構成部分については、同一番号を付してその説明を省略する。
【００５０】
図６に示されるように、ポンプモジュール６０は、ポンプ本体１６の側部１６Ｂ側に折りたたまれるフィルタ６２を備えている。フィルタ６２は、略矩形状（本実施形態では細長い長方形状）とされており、フィルタ６２が長手方向に沿ってポンプ本体１６の側部１６Ｂの周面に巻き付けられている。すなわち、本発明のフィルタ６２の折りたたみ状態とは、フィルタ６２がポンプ本体１６の側部１６Ｂの周面に巻き付けられた状態も含まれる。
【００５１】
フィルタ６２の長手方向の中央部６２Ａの下部には、ポンプ本体１６の下部に固定される取付部（図示省略）が設けられている。フィルタ６２の長手方向両側の端部６２Ｂには、フィルタ６２の長手方向に沿って延びた一対の係合部２４が設けられている。係合部２４の先端部には、下方側に延びた係合突起２４Ａが設けられている。ポンプ本体１６の側部１６Ｂには、一対の係合部２４の係合突起２４Ａが係合される保持部２６が設けられている。一対の係合部２４の係合突起２４Ａが保持部２６に係合されることで、フィルタ６２がポンプ本体１６の側部１６Ｂの周面に巻き付けられた状態が保持される。フィルタ６２の端部６２Ｂは、燃料タンク１２の開口部（図示省略）から内部１３に挿入可能な大きさに折りたたみ可能とされている。
【００５２】
燃料タンク１２の底部１４には、ポンプモジュール６０を取り付けるためのブラケット３０が設けられている。
【００５３】
このポンプモジュール６０は、燃料タンク１２の開口部（図示省略）から内部１３に挿入され、燃料タンク１２の底部１４に設けられたブラケット３０に取り付けられる。その際、ブラケット３０の傾斜部３０Ｄの先端を保持部２６の孔部２６Ａに挿入する過程で、ブラケット３０の傾斜部３０Ｄの先端に押されて一対の係合部２４の係合突起２４Ａと保持部２６との係合が外れる。そして、ブラケット３０の爪部３０Ｃが保持部２６の孔部２６Ａの上面に係止されることで、ポンプモジュール６０が燃料タンク１２の内部１３に取り付けられる。
【００５４】
一対の係合部２４の係合突起２４Ａと保持部２６との係合が外れる（解除される）ことで、矢印Ｃに示されるように、フィルタ６２が長手方向両側の端部６２Ｂがポンプ本体１６の側部１６Ｂから離れる方向に変形し、フィルタ６２の長手方向がポンプ本体１６の側部１６Ｂの接線方向に延びた状態となる（図６中の点線のフィルタ６２を参照）。さらに、矢印Ｄに示されるように、フィルタ６２が燃料タンク１２の底部１４側に倒れる（図６中の２点鎖線のフィルタ６２を参照）。これにより、図６中の２点鎖線で示されるように、フィルタ６２の長手方向両側の端部６２Ｂが、燃料タンク１２の底部１４に沿った方向に大きく広がる。このため、フィルタ６２の底部１４に沿った燃料の吸い上げ範囲の面積を拡大することができる。したがって、ポンプモジュール６０を燃料タンク１２の内部１３へ取り付ける際の作業性を向上することができる。
【００５５】
なお、上記第１〜第４実施形態において、フィルタに設けられる係合部及びこの係合部が係合される保持部材の形状、個数は、本発明を逸脱しない範囲で変更が可能である。
【符号の説明】
【００５６】
１０   ポンプモジュール
１２   燃料タンク
１３   内部
１６   ポンプ本体
２２   フィルタ
２４   係合部
２６   保持部（保持部材）
３２   開口部
４０   ポンプモジュール
４１Ａ 係合部
４２   保持部材
５０   ポンプモジュール
５２   係合部
６０   ポンプモジュール
６２   フィルタ
【図１】
2017053326.tif 000003
【図２】
2017053326.tif 000004
【図３】
2017053326.tif 000005
【図４】
2017053326.tif 000006
【図５】
2017053326.tif 000007
【図６】
2017053326.tif 000008
【図７】
2017053326.tif 000009
【図８】
2017053326.tif 000010